(57)【要約】【課題】外部機器の機能を遠隔操作できるナビゲーション装置を提供する。【解決手段】外部機器を操作するための外部機器操作スイッチを選択可能にディスプレイ１９に表示させ（Ｓ１０２）、ユーザの外部機器操作スイッチへの操作に応じた信号を外部機器と接続するための外部機器制御インタフェース２２から出力させる（Ｓ１０６）。【選択図】図２
2007168521.tif 000002
【特許請求の範囲】
【請求項１】
車両に搭載されるナビゲーション装置であって、
外部機器を操作するための外部機器操作スイッチを選択可能にディスプレイに表示させる表示制御手段と、
前記外部機器の外部入力端子と接続するための接続手段と、
ユーザの前記外部機器操作スイッチへの操作に応じた信号を前記接続手段から出力させる信号出力手段と、を備えたことを特徴とするナビゲーション装置。
【請求項２】
前記ディスプレイがナビゲーション本体内から手前に現れる状態と、ナビゲーション本体内に格納される状態とに切り替え可能に構成されていることを特徴とする請求項１に記載のナビゲーション装置。
【請求項３】
前記外部機器操作スイッチの名称を変更する名称変更画面を前記ディスプレイに表示させる名称変更画面表示手段と、
前記名称変更画面に従って前記外部機器操作スイッチの名称を変更する名称変更手段と、を備えたことを特徴とする請求項１または２に記載のナビゲーション装置。
【請求項４】
前記ディスプレイに表示される前記外部機器操作スイッチの配置および／または数を変更する配置変更画面を表示させる配置変更画面表示手段と、
前記配置変更画面表示手段によって表示された前記配置変更画面に従って前記外部機器操作スイッチの配置および／または数を変更する配置変更手段と、を備えたことを特徴とする請求項１ないし３にいずれか１つに記載のナビゲーション装置。
【発明の詳細な説明】
【技術分野】
【０００１】
本発明は、車両に搭載されるナビゲーション装置に関する。
【背景技術】
【０００２】
従来、車両には、エアコン装置、オーディオ装置、ナビゲーション装置などがそれぞれ独立して搭載されている。
【０００３】
また、それらの装置を関係付けるものとして、特許文献１には、表示画面にカバー型操作パネルを取り付け、このカバー型操作パネルを操作することにより、ナビゲーション装置の操作とエアコンの操作とを切り替えて行うことができるものが記載されている。また、特許文献２には、オーディオ装置やエアコン装置等の操作を集中して行うためのセンターモジュールを備え、このセンターモジュールの操作によりオーディオ装置やエアコン装置等を操作することが記載されている。
【特許文献１】特開２００２−１０４０２５号公報
【特許文献２】特開平１０−２７５０４４号公報
【発明の開示】
【発明が解決しようとする課題】
【０００４】
しかしながら、上記した従来の装置では、車両への搭載時に予めそれらの装置の操作機能が固定されたものとなっている。このため、例えば、ナビゲーション装置を使って、エアコン装置等の外部機器の機能を遠隔操作したいという要望があったとしても、そのようなことができないという問題がある。
【０００５】
本発明は上記問題に鑑みたもので、外部機器の機能を遠隔操作できるナビゲーション装置を提供することを目的とする。
【課題を解決するための手段】
【０００６】
上記目的を達成するため、本発明の第１の特徴は、外部機器を操作するための外部機器操作スイッチを選択可能にディスプレイに表示させ、ユーザの外部機器操作スイッチへの操作に応じた信号を外部機器と接続するための接続手段から出力させることである。
【０００７】
このような構成では、ユーザの外部機器操作スイッチへの操作に応じた信号が外部機器と接続するための接続手段から出力されるので、外部機器の機能を遠隔操作することができる。
【０００８】
この場合、ディスプレイがナビゲーション本体内から手前に現れる状態と、ナビゲーション本体内に格納される状態とに切り替え可能に構成されているナビゲーション装置においては、車両に後から搭載した時にディスプレイの後ろに外部機器の操作部が隠れてしまうことがあったとしても、ナビゲーション装置のディスプレイを用いることによってそのような外部機器の操作部を容易に行うことができる。
【０００９】
また、本発明では、外部機器操作スイッチの名称を変更する名称変更画面をディスプレイに表示させ、この名称変更画面に従って外部機器操作スイッチの名称を変更することを第２の特徴としている。
【００１０】
このように、外部機器操作スイッチの名称を変更する名称変更画面に従って外部機器操作スイッチの名称を変更することができるので、外部機器操作スイッチの名称をユーザの好みの名称に変更することができる。
【００１１】
また、本発明では、ディスプレイに表示される外部機器操作スイッチの配置および／または数を変更する配置変更画面を表示させ、この配置変更画面に従って外部機器操作スイッチの配置および／または数を変更することを第３の特徴としている。
【００１２】
このように、ディスプレイに表示される複数の外部機器操作スイッチの配置および／または数を変更する配置変更画面に従って外部機器操作スイッチの配置および／または数を変更するので、外部機器操作スイッチの配置や数をユーザの好みに合わせて変更することができる。
【発明を実施するための最良の形態】
【００１３】
本発明の一実施形態に係るナビゲーション装置が車両に取り付けられた様子を模式的に示したものを図１に示す。本ナビゲーション装置１は、図示しないセンターコンソールに外部機器としてのエアコン操作部４０およびオーディオ装置４１（図１では、オーディオ装置４１のみの構成を示す）とともに取り付けられている。また、本ナビゲーション装置１は、ディスプレイ１９がナビゲーション本体１０内から手前に現れる状態と、ディスプレイ１９がナビゲーション本体１０内に格納される状態とに切り替え可能に構成されている。具体的には、本ナビゲーション装置１の作動開始時にディスプレイ１９が駆動機構によってナビゲーション本体１０内から可動して手前に現れ、作動停止時にディスプレイ１９が駆動機構（図示せず）によってナビゲーション本体１０内に格納されるように構成されている。また、ナビゲーション本体１０と外部機器４０、４１との間は、接続コネクタ３０を介してケーブル接続されている。
【００１４】
図２に、ナビゲーション装置１のブロック構成を示す。ナビゲーション装置１は、地磁気センサ１２、ジャイロスコープ１３、距離センサ１４、ＧＰＳ受信機１５によって構成される位置検出器１１、地図記憶媒体から地図データを読み取る地図データ入力器１６、操作スイッチ群１７、制御回路１８、各種表示を行うディスプレイ１９、リモコン２１からの信号を受信するリモコンセンサ２０および外部機器制御インタフェース２２などを備えている。
【００１５】
操作スイッチ群１７は、ディスプレイ１９の表示画面の周囲に設けられた押しボタンスイッチおよびディスプレイ１９の表示画面に重ねて設けられたタッチスイッチによって構成され、ユーザの押しボタンスイッチの押下、あるいはユーザのタッチスイッチへのタッチの応じた信号を制御回路１８へ出力する。
【００１６】
制御回路１８は、ＣＰＵ、メモリ等を備えたコンピュータによって構成され、ＣＰＵは、予め定められたプログラムに従って動作する。
【００１７】
ディスプレイ１９は、液晶等の表示画面を有し、制御回路１８から入力される映像信号に応じた映像を表示画面に表示させる。
【００１８】
また、外部機器制御インタフェース２２は、複数の出力端子を有しており、これらの出力端子からエアコン操作部４０、オーディオ装置４１を制御するための各種信号を出力する。なお、これらの出力端子は、ナビゲーション本体１０の背面に設けられている。
【００１９】
外部機器制御インタフェース２２の各出力端子は、接続ケーブル３１、接続コネクタ３０および接続ケーブル３２を介してエアコン操作部４０、オーディオ装置４１に設けられた各外部入力端子（後述する）と接続される。
【００２０】
接続コネクタ３０は、図３に示すように複数（例えば、２０個）の端子を有している。外部機器制御インタフェース２２の各出力端子と接続コネクタ３０の各端子との間は、多芯ケーブルを用いて構成された接続ケーブル３１によって１対１で接続され、接続コネクタ３０の各端子とエアコン操作部４０、オーディオ装置４１に設けられた各外部入力端子との間は、多芯ケーブルを用いて構成された接続ケーブル３２によって１対１で接続される。
【００２１】
また、エアコン操作部４０は、エアコンをオンオフするためのエアコンスイッチ、ファンを停止するオフスイッチ、設定温度を上げる設定温度上昇スイッチ、設定温度を下げる設定温度低下スイッチ、内気モードと外気モードを切り替える内外気切替スイッチ等の各操作部（いずれも図示せず）を備えている。
【００２２】
また、本実施形態におけるエアコン操作部４０は、各操作スイッチの各々に対応して設けられた複数の外部入力端子を備えている。これらの外部入力端子は、各操作部を外部から操作するための外部信号を入力するためのものである。エアコン操作部４０は、ソフト処理により、操作部から入力される信号と外部入力端子から入力される外部信号に応じた制御信号を出力し、この制御信号によりエアコンのオンオフ、ファンの停止、設定温度の設定、内気モードと外気モードの切り替えを行う。具体的には、操作部から入力される信号を検出したか否かを判定し、外部入力端子から外部信号が入力されたか否かを判定し、操作部から信号が入力されたことを判定した場合、または、外部入力端子から信号が入力されたことを判定した場合に制御信号を出力する。
【００２３】
また、オーディオ装置４１は、ＣＤ、ＦＭラジオ、ＡＭラジオ等のオーディオソースを切り替えるオーディオソース切替スイッチ、音量を上げるためのボリュームアップスイッチ、音量を下げるためのボリュームダウンスイッチ、予め登録された放送局の受信周波数に設定するための選局スイッチ等の各操作部（いずれも図示せず）を備えている。
【００２４】
また、本実施形態におけるオーディオ装置４１は、エアコン操作部４０と同様に、各操作スイッチの各々に対応して設けられた複数の外部入力端子を備えている。オーディオ装置４１は、エアコン操作部４０と同様に、操作部から信号が入力されたことを判定した場合、または、外部入力端子から信号が入力されたことを判定した場合に制御信号を出力し、この制御信号によりオーディオソースの切り替え、音量の調整、放送局の受信周波数等の設定を行う。
【００２５】
本ナビゲーション装置１は、ユーザの操作に応じてディスプレイ１９の表示画面に外部機器操作画面（詳細については図５を用いて後述する）を表示し、この外部機器操作画面に表示されたＳＷ１〜ＳＷ９からなる外部機器操作スイッチ２０４がタッチ操作されると、各外部機器操作スイッチ２０４に対応する外部機器制御インタフェース２２の出力端子から１パルス分のパルス信号を出力するようになっている。
【００２６】
なお、本ナビゲーション装置１を車両に取り付けられる際には、各外部機器操作スイッチＳＷ１〜ＳＷ９と出力端子の対応関係についての取り決めが記載されたマニュアルに従って、ナビゲーション装置１の出力端子と接続コネクタ３０との間の配線および接続コネクタ３０と外部機器４０、４１との間の配線を行うようになっている。
【００２７】
そして、ユーザの外部機器操作スイッチＳＷ１〜ＳＷ９へのタッチ操作に応じたパルス信号が外部機器制御インタフェース２２の出力端子から外部機器４０、４１の外部入力端子へ入力される。
【００２８】
本ナビゲーション装置１は、イグニッションスイッチがオンしてバッテリから電源が供給されると動作状態となる。制御回路１８は、位置検出器１１から入力される信号に基づいて自車位置を算出する自車位置算出処理、自車位置周辺の地図上に自車位置マークを重ねてディスプレイ１９の表示画面に表示させる地図表示処理等とともに、図４に示す処理を開始する。
【００２９】
まず、「外部機器」が押されたか否かを判定する（Ｓ１００）。具体的には、ユーザの操作に応じてディスプレイ１９に、外部機器を操作するための外部機器操作画面に切り替えるための「外部機器」と表示された外部機器操作画面切替スイッチ（図示せず）を表示させ、ユーザの操作に応じて操作スイッチ群１７から外部機器操作画面切替スイッチがタッチ操作されたことを示す信号が入力されたか否かに基づいて「外部機器」が押されたか否かを判定する。
【００３０】
ユーザによって外部機器操作画面切替スイッチが押されない場合、Ｓ１００の判定はＮＯとなり、Ｓ１００の判定を繰り返す。また、ユーザによって外部機器操作画面切替スイッチが押された場合、Ｓ１００の判定はＹＥＳとなり、次に、外部機器操作画面をディスプレイ１９に表示させる（Ｓ１０２）。
【００３１】
図５に、外部機器操作画面の表示例を示す。図に示すように、外部機器制御インタフェース２２の出力端子から外部機器を操作するための信号を出力するスイッチＳＷ１〜ＳＷ９からなる操作スイッチ２０４、外部機器操作スイッチ２０４の名称を変更するための名称変更画面に切り替えるための名称変更スイッチ２０６、外部機器操作スイッチ２０４の配置を変更するための配置変更スイッチ２０８およびナビゲーション画面に切り替えるための「ＮＡＶＩ」スイッチ２０２が表示されている。
【００３２】
なお、外部機器４０、４１に設けられた全ての外部入力端子に対応する外部機器操作スイッチ２０４をディスプレイ１９に表示させると、外部機器操作スイッチ２０４の視認性、操作性が低下することが考えられるため、本実施形態では、外部機器４０、４１の利用頻度の高い操作スイッチに対応する外部機器操作スイッチ２０４のみを表示させるようにしている。
【００３３】
次に、外部機器操作画面に従って、何のスイッチが押されたかを判定する（Ｓ１０４）。具体的には、外部機器操作スイッチＳＷ１〜ＳＷ９がタッチ操作された場合には操作スイッチが押されたと判定し、「名称変更」スイッチ２０６または「配置変更」スイッチ２０８がタッチ操作された場合には設定スイッチが押されたと判定し、「ＮＡＶＩ」スイッチ２０２がタッチ操作された場合には画面切替用スイッチが押されたと判定する。
【００３４】
また、Ｓ１０４で設定スイッチが押されたと判定された場合、次に、「名称変更」スイッチ２０６がタッチ操作されたか「配置変更」スイッチ２０８がタッチ操作されたかに基づいて、「名称変更」スイッチ２０６が押されたか否かを判定する（Ｓ１０８）。
【００３５】
ユーザが「名称変更」スイッチ２０６をタッチ操作すると、Ｓ１０４で設定スイッチが押されたと判定され、Ｓ１０８でＹＥＳと判定され、次に、名称変更画面を表示させ（Ｓ１１０）、ユーザの文字入力の操作に従って表示画面の外部機器操作スイッチ２０４の名称を変更する（Ｓ１１２）。
【００３６】
具体的には、まず、外部機器操作スイッチ２０４を選択可能に表示させる。次に、ユーザによって特定の外部機器操作スイッチ２０４が選択されると、アルファベット、数字、記号等の文字入力画面を表示させる。また、この文字入力画面上に、文字入力の完了時に操作するための「完了」スイッチおよび前の画面に戻る「戻る」スイッチを選択可能に表示させる。次に、この文字入力画面に従って新たな名称が入力され、「完了」スイッチが操作されると、外部機器操作スイッチ２０４の名称を変更する。また、他の外部機器操作スイッチ２０４に対しても、同様の操作が行われると、操作された他の外部機器操作スイッチ２０４に対する名称変更を行う。このようにして、外部機器操作スイッチＳＷ１〜ＳＷ９の名称を変更する。また、ユーザによって「戻る」スイッチが操作されると、Ｓ１００へ戻る。
【００３７】
図６に、外部機器操作スイッチ２０４の名称が変更された場合の表示例を示す。なお、この図は、更に、後に示す「配置変更」スイッチ２０８の操作に従って外部機器操作スイッチの数が６個に変更された状態を示している。図５に示した外部機器操作スイッチＳＷ１がエアコンのエアコンスイッチに対応するようにナビゲーション装置１とエアコン操作部４０との間の接続がなされている場合には、図６に示すように、外部機器操作スイッチＳＷ１の名称を、例えば、「ＡＣ−ＯＮ／ＯＦＦ」といったように変更することができる。また、図５に示した外部機器操作スイッチＳＷ４がオーディオ装置４１のオーディオソース切替スイッチに対応するようにナビゲーション装置１とオーディオ装置４１との間の接続がなされている場合には、図６に示すように、外部機器操作スイッチＳＷ４の名称を、例えば、「Ａｕｄｉｏ−Ｓｏｕｒｃｅ」といったように変更することができる。
【００３８】
また、ユーザが「配置変更」スイッチ２０８をタッチ操作した場合、Ｓ１０４で設定スイッチが押されたと判定され、Ｓ１０８でＮＯと判定され、次に、外部機器操作スイッチ２０４の配置変更画面を表示させ（Ｓ１１４）、ユーザの入力操作に従って外部機器操作スイッチ２０４の配置および名称を変更する（Ｓ１１６）。
【００３９】
具体的には、まず、ディスプレイ１９に表示する外部機器操作スイッチ２０４を選択可能に表示させるとともに、外部機器操作スイッチ２０４の数を入力する入力部を表示させる。また、この配置変更画面上に、外部機器操作スイッチ２０４の配置を入れ替えるための「入替」スイッチおよび前の画面に戻る「戻る」スイッチを選択可能に表示させる。次に、この配置変更画面の入力部に表示する外部機器操作スイッチ２０４の数が入力されると、入力された数の外部機器操作スイッチ２０４をディスプレイ１９に表示させる。また、ユーザによって２つの外部機器操作スイッチ２０４が選択された後に、「入替」スイッチが操作されると、選択されていた外部機器操作スイッチ２０４の配置を入れ替える。このようにして外部機器操作スイッチ２０４の数および配置を変更する。ユーザによって「戻る」スイッチが操作されると、Ｓ１００へ戻る。
【００４０】
また、ユーザが外部機器操作画面に表示された外部機器操作スイッチ２０４を操作すると、Ｓ１０４で操作スイッチが押されたと判定され、次に、予め対応付けられた外部機器制御インタフェース２２の出力端子から１パルス分のパルス信号を出力し（Ｓ１０６）、Ｓ１０４へ戻る。
【００４１】
例えば、ユーザが「ＡＣ−ＯＮ／ＯＦＦ」と表示された外部機器操作スイッチをタッチ操作すると、外部機器制御インタフェース２２のタッチ操作された外部機器操作スイッチに対応する出力端子から１パルス分のパルス信号が出力され、このパルス信号は接続ケーブル３１、接続コネクタ３０および接続ケーブル３２を介して接続されたエアコン操作部４０の外部入力端子に入力される。エアコン操作部４０は、この外部入力端子に入力されたパルス信号に応じてエアコンをオンオフするためのエアコンスイッチが操作された場合と同様にエアコンをオンまたはオフする。
【００４２】
また、ユーザが「Ａｕｄｉｏ−Ｓｏｕｒｃｅ」と表示された外部機器操作スイッチをタッチ操作すると、外部機器制御インタフェース２２のタッチ操作された外部機器操作スイッチに対応する出力端子から１パルス分のパルス信号が出力され、このパルス信号は接続ケーブル３１、接続コネクタ３０および接続ケーブル３２を介して接続されたオーディオ装置４１の外部入力端子に入力される。オーディオ装置４１は、この外部入力端子に入力されたパルス信号に応じてＣＤ、ＦＭラジオ、ＡＭラジオ等のオーディオソースを切り替えるオーディオソース切替スイッチが操作された場合と同様にオーディオソースを切り替える。
【００４３】
このように、ユーザは、外部機器操作画面に表示された外部機器操作スイッチ２０４を操作して、外部機器４０、４１を操作することができる。
【００４４】
また、ユーザが「ＮＡＶＩ」スイッチ２０２をタッチ操作すると、表示画面を外部機器操作画面からナビゲーション画面表示に切り替え（Ｓ１１８）、本処理を終了する。
【００４５】
上記した構成によれば、外部機器を操作するための外部機器操作スイッチを選択可能にディスプレイ１９に表示させ、ユーザの外部機器操作スイッチへの操作に応じた信号を外部機器と接続するための外部機器制御インタフェース２２から出力させることである。
【００４６】
このような構成では、ユーザの外部機器操作スイッチへの操作に応じた信号が外部機器と接続するための接続手段から出力されるので、外部機器の機能を遠隔操作することができる。
【００４７】
また、ディスプレイ１９がナビゲーション本体１０内から手前に現れる状態と、ナビゲーション本体１０内に格納される状態とに切り替え可能に構成されているナビゲーション装置においては、車両に後から搭載した時にディスプレイ１９の後ろに外部機器の操作部が隠れてしまうことがあったとしても、ナビゲーション装置のディスプレイ１９を用いることによってそのような外部機器の操作部を容易に行うことができる。
【００４８】
また、外部機器操作スイッチ２０４の名称を変更する名称変更画面がディスプレイに表示されるので、ユーザはこの名称変更画面に従って容易に外部機器操作スイッチ２０４の名称を変更することができる。
【００４９】
また、ディスプレイ１９に表示される複数の外部機器操作スイッチ２０４の配置および／または数を変更する配置変更画面が表示されるので、ユーザはこの配置変更画面に従ってユーザの好みに合わせて外部機器操作スイッチ２０４の配置や数を変更することができる。
【００５０】
なお、上記実施形態における構成と特許請求の範囲の構成との対応関係について説明すると、エアコン操作部４０およびオーディオ装置４１が外部機器に相当し、外部機器制御インタフェース２２が接続手段に相当し、Ｓ１０６の処理が信号出力手段に相当し、Ｓ１１０の処理が名称変更画面表示手段に相当し、Ｓ１１２の処理が名称変更手段に相当し、Ｓ１１４の処理が配置変更画面表示手段に相当し、Ｓ１１６の処理が配置変更手段に相当する。
【００５１】
なお、本発明は上記実施形態に限定されるものではなく、本発明の趣旨に基づいて種々なる形態で実施することができる。
【００５２】
例えば、上記実施形態では、ナビゲーション装置１の操作画面から外部機器としてのアコン操作部４０およびオーディオ装置４１の各操作スイッチを操作する例を示したが、エアコン操作部４０、オーディオ装置４１に限定されるものではなく、例えば、ハザードランプの点滅を操作するためのハザードスイッチを操作するようにしてもよい。
【００５３】
また、上記実施形態に示したように、ディスプレイの後ろに隠れてしまう外部機器の操作部でだけでなく、ディスプレイよりも助手席側に位置する外部機器やディスプレイの下方に位置する外部機器等、ディスプレイによって操作が困難となると考えられる外部機器の操作部をナビゲーション装置の操作画面上から操作するようにしてもよい。また、例えば、ドリンクホルダに飲み物を入れた際に隠れてしまう操作スイッチを遠隔操作するようにしてもよい。
【００５４】
また、上記実施形態では、ディスプレイ１９がナビゲーション本体１０内から手前に現れる状態と、ディスプレイ１９がナビゲーション本体１０内に格納される状態とに切り替え可能に構成された例を示したが、例えば、ディスプレイ１９がエアコン操作部４０やオーディオ装置４１等の外部機器の前に固定して取り付けられるように構成されたナビゲーション装置に適用してもよい。
【００５５】
また、上記実施形態では、Ｓ１１０において外部機器操作スイッチ２０４の名称を文字入力によって変更する画面を表示させる場合の例を示したが、例えば、予め想定される名称を用意して表示画面に表示させておき、これらの中からユーザが選択して外部機器操作スイッチの名称を変更する画面を表示するようにしてもよい。
【００５６】
また、上記実施形態では、Ｓ１１４において外部機器操作スイッチ２０４の配置および数を変更する画面を表示させる場合の例を示したが、外部機器操作スイッチ２０４の配置のみを変更する画面や外部機器操作スイッチ２０４の数のみを変更する画面を表示させるようにしてもよい。
【００５７】
また、上記実施形態では、ナビゲーション装置１の外部機器制御インタフェース２２と外部機器４０、４１との間を、接続コネクタ３０および接続ケーブル３１、３２を用いて有線により接続した例を示したが、例えば、赤外線等の無線によって接続するようにしてもよい。
【００５８】
また、上記実施形態では、外部機器制御インタフェース２２の出力端子をナビゲーション装置１の背面に設けた例を示したが、背面に限定されるものではなく、例えば、ナビゲーション装置１の正面に設けてもよい。
【００５９】
また、上記実施形態では、本実施形態では、外部機器４０、４１の利用頻度の高い操作スイッチに対応する外部機器操作スイッチ２０４のみを表示させた例を示したが、外部機器４０、４１の利用頻度と関係なく、外部入力端子に対応する全ての外部機器操作スイッチ２０４を表示させるようにしてもよい。
【００６０】
また、上記実施形態では、ユーザによる外部機器操作スイッチへのタッチ操作に応じて外部機器制御インタフェース２２の出力端子から１パルス分のパルス信号を出力する例を示したが、このようなパルス信号に限定されるものではなく、例えば、複数のパルス信号やユーザの操作に応じて論理レベルが反転する信号など、ユーザによる外部機器操作スイッチへのタッチ操作に応じて論理レベルが変化する信号を出力するようにしてもよい。
【００６１】
また、上記実施形態では、ナビゲーション装置１の表示画面上でユーザのタッチ操作に応じて外部機器４０、４１を操作する例を示したが、外部機器操作画面に従ったユーザのリモコン２１の操作に応じて外部機器４０、４１を操作することもできる。
【００６２】
また、上記実施形態では、本ナビゲーション装置１を車両に取り付けられる際に、各外部機器操作スイッチＳＷ１〜ＳＷ９と出力端子の対応関係についての取り決めが記載されたマニュアルに従って、ナビゲーション装置１の出力端子と接続コネクタ３０との間の配線および接続コネクタ３０と外部機器４０、４１との間の配線を行う例を示したが、外部機器操作スイッチＳＷ１〜ＳＷ９を操作した時の動作を確認しながら配線作業を行うようにしてもよい。
【図面の簡単な説明】
【００６３】
【図１】本発明の一実施形態に係るナビゲーション装置が車両に取り付けられた様子を模式的に示した図である。
【図２】ナビゲーション装置のブロック構成を示す図である。
【図３】ナビゲーション装置の外部機器制御インタフェースに接続される接続コネクタの外観図である。
【図４】制御回路のフローチャートである。
【図５】外部機器操作画面の表示例を示す図である。
【図６】外部機器操作スイッチの名称が変更された場合の表示例を示す図である。
【符号の説明】
【００６４】
１…ナビゲーション装置、１０…ナビゲーション本体、１１…位置検出器、
１２…地磁気センサ、１３…ジャイロスコープ、１４…距離センサ、
１５…ＧＰＳ受信機、１６…地図データ入力器、１７…操作スイッチ群、
１８…制御回路、１９…ディスプレイ、２０…リモコンセンサ、２１…リモコン、
２２…外部機器制御インタフェース、３０…接続コネクタ、
３１、３２…接続ケーブル、４０…エアコン操作部、４１…オーディオ装置。 
【図１】
2007168521.tif 000003
【図２】
2007168521.tif 000004
【図３】
2007168521.tif 000005
【図４】
2007168521.tif 000006
【図５】
2007168521.tif 000007
【図６】
2007168521.tif 000008